(57)【要約】【課題】人体の複数の部位を配置する位置を指示する複数の指示マークを含む姿勢指示図を表す画像を、ユーザーの体格に応じたサイズでシートに形成できること。【解決手段】ユーザーサイズ設定部は、ユーザーの人体サイズを表すユーザーサイズデータを設定する（Ｓ１，Ｓ２）。サイズ特定部は、予め定められた特定ルールに従って、前記ユーザーサイズデータから姿勢指示図の出力サイズを特定する（Ｓ４）。データ生成部は、前記サイズ特定部により特定された前記出力サイズの前記姿勢指示図を表す出力画像データを生成する（Ｓ５）。印刷制御部は、前記出力画像データが表す画像をシートに形成する印刷処理を画像形成装置に実行させる（Ｓ６）。【選択図】図２
2018174402.tif 000002
【特許請求の範囲】
【請求項１】
人体の複数の部位を配置する位置を指示する複数の指示マークを含む姿勢指示図を表す画像の印刷を制御する情報処理装置であって、
ユーザーの人体サイズを表すユーザーサイズデータを設定するユーザーサイズ設定部と、
予め定められた特定ルールに従って、前記ユーザーサイズデータから前記姿勢指示図の出力サイズを特定するサイズ特定部と、
前記サイズ特定部により特定された前記出力サイズの前記姿勢指示図を表す出力画像データを生成するデータ生成部と、
前記出力画像データが表す画像をシートに形成する印刷処理を画像形成装置に実行させる印刷制御部と、を備える情報処理装置。
【請求項２】
前記ユーザーサイズ設定部は、人体における複数の特定部位のサイズを表す複数の部分サイズデータを含む前記ユーザーサイズデータを設定し、
前記サイズ特定部は、前記複数の部分サイズデータから前記姿勢指示図における前記複数の指示マークの間隔を特定する、請求項１に記載の情報処理装置。
【請求項３】
ユーザーによる操作を受け付ける操作部をさらに備え、
前記ユーザーサイズ設定部は、
前記操作部に対する操作に従って前記複数の部分サイズデータのうち予め定められた主サイズデータを設定し、
さらに、前記複数の部分サイズデータにおける前記主サイズデータと残りのその他サイズデータとの対応関係を表す既定の基準人体サイズデータと、前記操作部に対する操作に従って設定された前記主サイズデータと、に基づく補間処理によって前記その他サイズデータを自動設定する、請求項２に記載の情報処理装置。
【請求項４】
前記データ生成部は、配列されることによって前記姿勢指示図全体を含む矩形画像を成す複数の分割画像をそれぞれ表す複数のページ画像データを前記出力画像データとして生成し、
前記印刷制御部は、前記複数のページ画像データそれぞれが表す画像を予め定められたサイズの複数の定型シートに形成する前記印刷処理を前記画像形成装置に実行させる、請求項１から請求項３のいずれか１項に記載の情報処理装置。
【請求項５】
前記データ生成部は、前記複数の定型シートの配列順序を表す順序画像を含む前記複数のページ画像データを前記出力画像データとして生成する、請求項４に記載の情報処理装置。
【請求項６】
前記複数のページ画像データが前記姿勢指示図の一部を成す断片画像を含まない無意画像データを含む場合に、前記印刷制御部は、前記複数のページ画像データのうち前記無意画像データを除いた残りのデータのみを前記印刷処理の対象とする、請求項５に記載の情報処理装置。
【請求項７】
人体の複数の部位を配置する位置を指示する複数の指示マークを含む姿勢指示図を表す画像の印刷を制御する印刷制御方法であって、
ユーザーの人体サイズを表すユーザーサイズデータを設定する工程と、
予め定められた特定ルールに従って、前記ユーザーサイズデータから前記姿勢指示図の出力サイズを特定する工程と、
特定された前記出力サイズの前記姿勢指示図を表す出力画像データを生成する工程と、
前記出力画像データが表す画像をシートに形成する印刷処理を画像形成装置に実行させる工程と、を有する印刷制御方法。
【発明の詳細な説明】
【技術分野】
【０００１】
本発明は、情報処理装置および印刷制御方法に関する。
【背景技術】
【０００２】
ヨガまたはストレッチなどを行う人は、手、足および頭などの複数の部位の位置を変更しつつ様々な姿勢をとる。そこで、人体の複数の部位の模範的な配置位置を指示する複数の指示マークを含む姿勢指示図の画像が形成されたシートが用いられれば、理想に近い姿勢ととることが容易となる。例えば、前記シートが、床または壁などに固定されることが考えられる。
【０００３】
また、いわゆるツイスターゲームでは、手または足を配置する位置を示す複数のカラーマークが形成されたシートが用いられる。一般に、前記複数のカラーマークは、シート上に等間隔で形成されている（例えば、特許文献１参照）。
【先行技術文献】
【特許文献】
【０００４】
【特許文献１】登録実用新案第３１０９０４８号公報
【発明の概要】
【発明が解決しようとする課題】
【０００５】
ところで、ヨガまたはストレッチなどを行う人の体格は、人ごとに異なる。そのため、前記姿勢指示図が、代表的な体格の人に適したサイズでシートに形成されている場合、そのシートは大柄な人または小柄な人などの一部のユーザーには適さないおそれがある。
【０００６】
本発明の目的は、人体の複数の部位を配置する位置を指示する複数の指示マークを含む姿勢指示図を表す画像を、ユーザーの体格に応じたサイズでシートに形成することができる情報処理装置および印刷制御方法を提供することにある。
【課題を解決するための手段】
【０００７】
本発明の一の局面に係る情報処理装置は、人体の複数の部位を配置する位置を指示する複数の指示マークを含む姿勢指示図を表す画像の印刷を制御する装置である。前記情報処理装置は、ユーザーサイズ設定部と、サイズ特定部と、データ生成部と、印刷制御部と、を備える。前記ユーザーサイズ設定部は、ユーザーの人体サイズを表すユーザーサイズデータを設定する。前記サイズ特定部は、予め定められた特定ルールに従って、前記ユーザーサイズデータから前記姿勢指示図の出力サイズを特定する。前記データ生成部は、前記サイズ特定部により特定された前記出力サイズの前記姿勢指示図を表す出力画像データを生成する。前記印刷制御部は、前記出力画像データが表す画像をシートに形成する印刷処理を画像形成装置に実行させる。
【０００８】
本発明の他の局面に係る印刷制御方法は、人体の複数の部位を配置する位置を指示する複数の指示マークを含む姿勢指示図を表す画像の印刷を制御する方法である。本方法は、ユーザーの人体サイズを表すユーザーサイズデータを設定する工程を含む。さらに、本方法は、予め定められた特定ルールに従って、前記ユーザーサイズデータから前記姿勢指示図の出力サイズを特定する工程を含む。さらに、本方法は、特定された前記出力サイズの前記姿勢指示図を表す出力画像データを生成する工程を含む。さらに、本方法は、前記出力画像データが表す画像をシートに形成する印刷処理を画像形成装置に実行させる工程を含む。
【発明の効果】
【０００９】
本発明によれば、人体の複数の部位を配置する位置を指示する複数の指示マークを含む姿勢指示図を表す画像を、ユーザーの体格に応じたサイズでシートに形成することができる情報処理装置および印刷制御方法を提供することが可能になる。
【図面の簡単な説明】
【００１０】
【図１】図１は、実施形態に係る情報処理装置のブロック図である。
【図２】図２は、実施形態に係る情報処理装置による姿勢指示図印刷制御の手順の一例を示すフローチャートである。
【図３】図３は、実施形態に係る情報処理装置によって設定されるユーザーサイズデータに対応する身体の複数の部位を示す人体模式図である。
【図４】図４は、実施形態に係る情報処理装置によって設定されるユーザーサイズデータの構成の一例を示す図である。
【図５】図５は、実施形態に係る情報処理装置において予め登録されている基準人体サイズデータの構成の一例を示す図である。
【図６】図６は、姿勢指示図印刷制御によって出力される複数枚の印刷物の一例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
実施形態に係る情報処理装置１は、図５に示されるような姿勢指示シート群９０を生成するための印刷処理をプリンター８に実行させるコンピューターである。姿勢指示シート群９０は、ヨガまたはストレッチなどを行うユーザーによって用いられる。
【００１３】
なお、情報処理装置１は、姿勢指示シート群９０を生成するための前記印刷処理をプリンター８に実行させる印刷制御装置の一例であるともいえる。また、プリンター８は、シートに画像を形成する画像形成装置の一例である。
【００１４】
姿勢指示シート群９０は、人体の複数の部位を配置する位置を指示する複数の指示マークＩｍ００を含む姿勢指示図Ｉｍ０を表す画像が形成された複数枚の印刷物９である。姿勢指示図Ｉｍ０は、ヨガまたはストレッチなどを行う前記ユーザーがとる姿勢を指示する図である。
【００１５】
図５に示される例では、複数の指示マークＩｍ００は、頭、肩、両肘、両手、腰、両膝および両足の部位を配置する位置を指示するマークを含む。また、姿勢指示図Ｉｍ０は、複数の指示マークＩｍ００を連結する複数の連結マークＩｍ０１も含む。複数の連結マークＩｍ０１は、例えば、首、二の腕および太股などに対応する部分である。
【００１６】
複数枚の印刷物９は、それぞれ画像が形成された、予め定められたサイズの複数の定型シートである。前記定型シート各々は矩形シートである。例えば、前記定型シートが、静電吸着によって鏡、壁または床などに貼り付けることが可能な透明シートであることが考えられる。
【００１７】
姿勢指示シート群９０を構成する複数枚の印刷物９には、配列されることによって姿勢指示図Ｉｍ０全体を含む矩形画像を成す複数の分割画像Ｉｍ１がそれぞれ形成されている。図５に示される例において、複数枚の印刷物９には、複数枚の印刷物９の配列順序を表す順序画像Ｉｍ２も形成されている。
【００１８】
なお、図５に示される順序画像Ｉｍ２は数値の画像であるが、順序画像Ｉｍ２が、例えばアルファベットの画像など、順序を表す他の画像であることも考えられる。
【００１９】
複数枚の印刷物９は、順序画像Ｉｍ２が示す順序で配列された状態で、壁掛け鏡、壁または床などに固定される。
【００２０】
複数枚の印刷物９が前記壁掛け鏡に貼り付けられた場合、前記ユーザーは、前記壁掛け鏡に映った自身の手および足などの各部位が姿勢指示図Ｉｍ０の指示マークＩｍ００に重なって映るような姿勢をとる。
【００２１】
また、複数枚の印刷物９が前記床に貼り付けられた場合、前記ユーザーは、自身の手および足などの各部位が姿勢指示図Ｉｍ０の指示マークＩｍ００に接触するような姿勢をとる。
【００２２】
以上に示されるように、前記ユーザーは、配列された複数枚の印刷物９に示される姿勢指示図Ｉｍ０に合わせた姿勢を取ることにより、理想に近い姿勢ととることが容易となる。
【００２３】
例えば、情報処理装置１が、スマートフォン、タブレットコンピューターまたはその他のパーソナルコンピューターなどであることが考えられる。また、情報処理装置１が、前記コンピューターおよびプリンター８を兼ね備えた複合機などの画像形成装置であることも考えられる。
【００２４】
［情報処理装置１の構成］
図１に示されるように、情報処理装置１は、ＣＰＵ（Central Processing Unit）１１、ＲＡＭ（Rondom Access Memory）１２、二次記憶部１３、ユーザーＩ／Ｆ（Interface）１４および無線通信Ｉ／Ｆ１５などを備える。
【００２５】
ＣＰＵ１１は、各種の演算およびデータ処理を実行するプロセッサーである。ＲＡＭ１２は、ＣＰＵ１１が実行するプログラムを一時記憶するコンピューター読み取り可能な揮発性の主記憶装置である。
【００２６】
二次記憶部１３は、ＣＰＵ１１が参照する各種データおよびプログラムを記憶するコンピューター読取可能な不揮発性の記憶装置である。また、二次記憶部１３は、ＣＰＵ１１によるデータの書き込みが可能な記憶装置でもある。例えば、二次記憶部１３がフラッシュメモリーなどであることが考えられる。
【００２７】
ユーザーインターフェイス１４は、操作部１４ａおよび表示部１４ｂを含む。操作部１４ａは、前記ユーザーによる操作を受け付ける情報入力デバイスであり、例えばタッチパネルおよび操作ボタンなどを含む。表示部１４ｂは、情報を画像として表示する二次元表示デバイスであり、例えば液晶表示パネルなどである。
【００２８】
無線通信Ｉ／Ｆ１５は、無線ネットワーク１００を通じてプリンター８などの他装置との間で無線によりデータの送受信を行う通信デバイスである。例えば、無線通信Ｉ／Ｆ１５が、ＩＥＥＥ８０２．１５．１規格またはＩＥＥＥ８０２．１１規格に準拠した無線通信デバイスであることが考えられる。さらに、無線通信Ｉ／Ｆ１５は、バス１０を通じてＣＰＵ１１とデータの受け渡しを行う。
【００２９】
例えば、ＣＰＵ１１は、画像データを含む印刷ジョブデータを無線通信Ｉ／Ｆ１５を通じてプリンター８に送信する。前記印刷ジョブデータは、プリンター８に前記画像データに基づく前記印刷処理を実行させる印刷コマンドなども含む。
【００３０】
ところで、ヨガまたはストレッチなどを行う前記ユーザーの体格は、前記ユーザーごとに異なる。そのため、姿勢指示図Ｉｍ０が、代表的な体格の人に適したサイズで複数の姿勢指示シート群９０に形成されている場合、その姿勢指示シート群９０は大柄な人または小柄な人などの一部のユーザーには適さないおそれがある。
【００３１】
情報処理装置１は、以下に示される姿勢指示図印刷制御を実行することにより、姿勢指示図Ｉｍ０を表す画像の印刷を制御する。情報処理装置１は、前記姿勢指示図印刷制御を実行することによって上記の課題を解決する。
【００３２】
［姿勢指示図印刷制御］
以下、図２に示されるフローチャートを参照しつつ、前記姿勢指示図印刷制御の手順の一例について説明する。なお、図２に示されるフローチャートは、姿勢指示シート群９０を生成するための前記印刷処理をプリンター８に実行させる印刷制御方法の手順の一例であるともいえる。
【００３３】
二次記憶部１３は、前記姿勢指示図印刷制御に対応する姿勢指示図印刷プログラムＰｒ０を予め記憶する。操作部１４ａに対して姿勢指示図印刷プログラムＰｒ０を起動する操作が行われたときに、ＣＰＵ１１が、姿勢指示図印刷プログラムＰｒ０を実行し、前記姿勢指示図印刷制御を開始させる。
【００３４】
即ち、ＣＰＵ１１は、姿勢指示図印刷プログラムＰｒ０を実行することによって前記姿勢指示図印刷制御を実現する。姿勢指示図印刷プログラムＰｒ０は、ＣＰＵ１１によって実行される複数のプログラムモジュールＰｒ１〜Ｐｒ５を含む。
【００３５】
以下の説明において、Ｓ１，Ｓ２，…は、前記姿勢指示図印刷制御において実行される工程の識別符号を表す。
【００３６】
＜工程Ｓ１，Ｓ２＞
まず、ＣＰＵ１１は、ユーザーの人体サイズを表すユーザーサイズデータＤｕ０を設定するサイズ設定処理を実行する。工程Ｓ１，Ｓ２においてＣＰＵ１１は、人体における複数の特定部位のサイズを表す複数の部分サイズデータＤｕ１〜Ｄｕ７を含むユーザーサイズデータＤｕ０を設定する。
【００３７】
ＣＰＵ１１は、第１プログラムモジュールＰｒ１を実行することによって工程Ｓ１，Ｓ２の処理を実現する。工程Ｓ１，Ｓ２の処理を実行するＣＰＵ１１は、ユーザーサイズ設定部の一例である。
【００３８】
図４に示される例では、ユーザーサイズデータＤｕ０は、それぞれ身長、腰から下の長さ、腕の長さ、肩幅、肩から頭の先までの長さ、膝から下の長さおよび肘から手首までの長さを表す第１部分サイズデータＤｕ１から第７部分サイズデータＤｕ７までの７つのデータを含む。
【００３９】
例えば、ＣＰＵ１１は、前記サイズ設定処理において、以下に示される第１サイズ設定処理（Ｓ１）および第２サイズ設定処理（Ｓ２）を実行する。
【００４０】
工程Ｓ１で実行される前記第１サイズ設定処理は、操作部１４ａに対する操作に従って複数の部分サイズデータＤｕ１〜Ｄｕ７のうち予め定められた主サイズデータＤｕ１を設定する処理である。本実施形態において、主サイズデータＤｕ１は身長のデータである。
【００４１】
例えば、ＣＰＵ１１は、表示部１４ｂに身長の数値の入力画面を表示させた上で、操作部１４ａに対する操作に従って主サイズデータＤｕ１を設定する。
【００４２】
工程Ｓ２で実行される前記第２サイズ設定処理は、図５に示されるような既定の基準人体サイズデータＤｔ０と、操作部１４ａに対する操作に従って設定された主サイズデータＤｕ１と、に基づく補間処理によってその他サイズデータＤｕ２〜Ｄｕ７を自動設定する処理である。
【００４３】
基準人体サイズデータＤｔ０は、複数の部分サイズデータＤｕ１〜Ｄｕ７における主サイズデータＤｕ１と残りのその他サイズデータＤｕ２〜Ｄｕ７との対応関係を表すデータである。基準人体サイズデータＤｔ０は、二次記憶部１３などに予め記憶されている。
【００４４】
図５に示される例において、基準人体サイズデータＤｔ０は、複数組のサンプルサイズデータＤｔ１を含むルックアップテーブルである。サンプルサイズデータＤｔ１各々は、主サイズデータＤｕ１の基準値を表す主基準データＤｔ０１と、複数のその他サイズデータＤｕ２〜Ｄｕ７の基準値を表す複数のその他基準データＤｔ０２〜Ｄｔ０７とを含む。
【００４５】
例えば、前記補間処理は、複数の主基準データＤｔ０１に対する工程Ｓ１で設定された主サイズデータＤｕ１の相対比と、複数のその他基準データＤｔ０２〜Ｄｔ０７とを乗算する処理である。
【００４６】
＜工程Ｓ３＞
次に、ＣＰＵ１１は、ユーザーサイズデータＤｕ０の編集処理を実行する。前記編集処理において、ＣＰＵ１１は、表示部１４ｂにユーザーサイズデータＤｕ０の設定結果を表示さる。さらに、ＣＰＵ１１は、操作部１４ａに対する編集操作に従って、工程Ｓ１，Ｓ２で設定されたユーザーサイズデータＤｕ０の一部または全部を修正する。
【００４７】
ＣＰＵ１１は、第２プログラムモジュールＰｒ２を実行することによって工程Ｓ３の処理を実現する。工程Ｓ３の処理を実行するＣＰＵ１１は、ユーザーサイズ編集部の一例である。
【００４８】
なお、工程Ｓ３において、前記編集操作が行われることなく、操作部１４ａに対する確定操作が行われた場合、ＣＰＵ１１は、工程Ｓ１，Ｓ２で設定されたユーザーサイズデータＤｕ０をそのまま採用する。
【００４９】
＜工程Ｓ４＞
次に、ＣＰＵ１１は、出力サイズ特定処理を実行する。前記出力サイズ特定処理は、予め定められた特定ルールに従って、ユーザーサイズデータＤｕ０から姿勢指示図Ｉｍ０の出力サイズを特定する処理である。
【００５０】
ＣＰＵ１１は、第３プログラムモジュールＰｒ３を実行することによって工程Ｓ４の処理を実現する。工程Ｓ４の処理を実行するＣＰＵ１１は、サイズ特定部の一例である。
【００５１】
二次記憶部１３は、それぞれ異なる姿勢を表す姿勢指示図Ｉｍ０に対応する複数の基準姿勢データＤｐ０を予め記憶している。基準姿勢データＤｐ０各々は、姿勢指示図Ｉｍ０に踏まれる全ての指示マークＩｍ００の基準の位置関係を表す座標データを含む。
【００５２】
前記出力サイズ特定処理は、基準姿勢データＤｐ０ごとに、基準姿勢データＤｐ０に含まれる前記座標データをユーザーサイズデータＤｕ０に基づいて補正する処理である。また、前記座標データをユーザーサイズデータＤｕ０に基づいて補正するルールが前記特定ルールである。補正後の前記座標データは、姿勢指示図Ｉｍ０の前記出力サイズを表すデータである。
【００５３】
本実施形態において、ＣＰＵ１１は、複数の部分サイズデータＤｕ１〜Ｄｕ７から姿勢指示図Ｉｍ０における複数の指示マークＩｍ００の間隔を特定する。
【００５４】
さらに、ＣＰＵ１１は、基準姿勢データＤｐ０各々について、前記座標データが表す複数の指示マークＩｍ００の間隔が、複数の部分サイズデータＤｕ１〜Ｄｕ７に基づき特定された間隔と一致するように、前記座標データを補正する。
【００５５】
例えば、ＣＰＵ１１は、肘から手首までの長さを表す第７部分サイズデータＤｕ７が示す長さを、それぞれ肘および手に対応する２つの指示マークＩｍ００の間隔として特定する。同様に、ＣＰＵ１１は、腕の長さを表す第３部分サイズデータＤｕ３と第７部分サイズデータＤｕ７との差が示す長さを、それぞれ肩および肘に対応する２つの指示マークＩｍ００の間隔として特定する。
【００５６】
＜工程Ｓ５＞
次に、ＣＰＵ１１は、工程Ｓ４の処理により特定された前記出力サイズの姿勢指示図Ｉｍ０を表す出力画像データを生成する。
【００５７】
ＣＰＵ１１は、第４プログラムモジュールＰｒ４を実行することによって工程Ｓ５の処理を実現する。工程Ｓ５の処理を実行するＣＰＵ１１は、データ生成部の一例である。
【００５８】
一般に、人体に相当するサイズの姿勢指示図Ｉｍ０をそのまま１枚のシートに形成することは困難である。そこで、ＣＰＵ１１は、図６に示されるように、配列されることによって姿勢指示図Ｉｍ０全体を含む矩形画像を成す複数の分割画像Ｉｍ１をそれぞれ表す複数のページ画像データを前記出力画像データとして生成する。
【００５９】
本実施形態において、ＣＰＵ１１は、前記複数の定型シートの配列順序を表す順序画像Ｉｍ２と分割画像Ｉｍ１とを含む前記複数のページ画像データを前記出力画像データとして生成する。
【００６０】
図６に示されるように、分割画像Ｉｍ１は、姿勢指示図Ｉｍ０の一部を成す断片画像Ｉｍ１１を含む場合が多い。しかしながら、複数の分割画像Ｉｍ１の一部が、断片画像Ｉｍ１１を含まない無意画像である場合がある。
【００６１】
図６に示される例において、１番目、４番目、９番目、１２番目、１６番目、１７番目および２０番目の分割画像Ｉｍ１は、順序画像Ｉｍ２を含むが断片画像Ｉｍ１１を含まない前記無意画像である。以下の説明において、前記複数のページ画像データのうち前記無意画像を表すデータのことを無意画像データと称する。
【００６２】
＜工程Ｓ６＞
次に、ＣＰＵ１１は、操作部１４ａに対して予め定められた印刷開始操作が行われたときに、前記複数のページ画像データに基づく前記印刷処理をプリンター８に実行させる。
【００６３】
工程Ｓ６の処理により、プリンター８は、前記出力画像データが表す画像、即ち、前記複数のページ画像データが表す複数ページ分の画像を複数枚の前記定型シートに形成する。ＣＰＵ１１は、工程Ｓ６の処理の終了後、前記姿勢指示図印刷制御を終了させる。
【００６４】
ＣＰＵ１１は、第５プログラムモジュールＰｒ５を実行することによって工程Ｓ６の処理を実現する。工程Ｓ６の処理を実行するＣＰＵ１１は、印刷制御部の一例である。
【００６５】
工程Ｓ６において、前記複数のページ画像データが前記無意画像データを含む場合がある。この場合、ＣＰＵ１１が、前記複数のページ画像データのうち前記無意画像データを除いた残りのデータのみを前記印刷処理の対象とすることが考えられる。これにより、前記定型シートの消費を削減することができる。
【００６６】
また、ＣＰＵ１１が、操作部１４ａに対する予め定められたモード指定操作に従って、前記無意画像データを前記印刷処理の対象とするか否かを決定することも考えられる。
【００６７】
以上に示されるように、情報処理装置１は、人体の複数の部位を配置する位置を指示する複数の指示マークＩｍ００を含む姿勢指示図Ｉｍ０を表す画像を、前記ユーザーの体格に応じたサイズでシート群に形成することができる。
【００６８】
また、複数の部分サイズデータＤｕ１〜Ｄｕ７を含むユーザーサイズデータＤｕ０が設定され、複数の部分サイズデータＤｕ１〜Ｄｕ７から姿勢指示図Ｉｍ０における複数の指示マークＩｍ００の間隔が特定される。これにより、前記ユーザーの体型により適合したサイズの姿勢指示図Ｉｍ０を作成することができる。
【００６９】
また、その他サイズデータＤｕ２〜Ｄｕ７が、基準人体サイズデータＤｔ０と手動設定された主サイズデータＤｕ１とに基づく補間処理によって自動設定される。これにより、ユーザーがユーザーサイズデータＤｕ０を入力する手間が省略される。
【００７０】
[応用例]
情報処理装置１が、前記ユーザーの写真を撮影するカメラを備えることが考えられる。この場合、図２の工程Ｓ１において、ＣＰＵ１１が、前記カメラによって得られる前記ユーザーの写真画像の画像処理により、ユーザーサイズデータＤｕ０を自動設定することも考えられる。
【００７１】
例えば、前記ユーザーと長さが既知の予め定められた基準物体とが、被写体として前記カメラにより撮影されることが考えられる。この場合、ＣＰＵ１１は、前記ユーザーの前記写真画像から、複数の指示マークＩｍ００に対応する前記ユーザーの身体における複数の部位を抽出する。
【００７２】
さらに、ＣＰＵ１１は、前記写真画像における前記複数の部位の間隔と前記基準物体の長さとに基づく比例計算により、前記複数の部位の実際の間隔を算出し、算出結果を複数の部分サイズデータＤｕ１〜Ｄｕ７として設定する。
【符号の説明】
【００７３】
１        ：情報処理装置
８        ：プリンター
９        ：印刷物
１０      ：バス
１１      ：ＣＰＵ
１２      ：ＲＡＭ
１３      ：二次記憶部
１４      ：ユーザーインターフェイス
１４ａ    ：操作部
１４ｂ    ：表示部
１５      ：無線通信Ｉ／Ｆ
９０      ：姿勢指示シート群
１００    ：無線ネットワーク
Ｄｐ０    ：基準姿勢データ
Ｄｔ０    ：基準人体サイズデータ
Ｄｔ０１  ：主基準データ
Ｄｔ０２〜Ｄｔ０７：その他基準データ
Ｄｕ０    ：ユーザーサイズデータ
Ｄｕ１    ：主サイズデータ（部分サイズデータ）
Ｄｕ２〜Ｄｕ７：その他サイズデータ（部分サイズデータ）
Ｉｍ０    ：姿勢指示図
Ｉｍ００  ：指示マーク
Ｉｍ０１  ：連結マーク
Ｉｍ１    ：分割画像
Ｉｍ１１  ：断片画像
Ｉｍ２    ：順序画像
Ｐｒ０    ：姿勢指示図印刷プログラム
Ｐｒ１    ：第１プログラムモジュール
Ｐｒ２    ：第２プログラムモジュール
Ｐｒ３    ：第３プログラムモジュール
Ｐｒ４    ：第４プログラムモジュール
Ｐｒ５    ：第５プログラムモジュール
【図１】
2018174402.tif 000003
【図２】
2018174402.tif 000004
【図３】
2018174402.tif 000005
【図４】
2018174402.tif 000006
【図５】
2018174402.tif 000007
【図６】
2018174402.tif 000008